【手続補正書】
【提出日】平成30年10月31日(2018.10.31)
【手続補正１】
【補正対象書類名】特許請求の範囲
【補正対象項目名】全文
【補正方法】変更
【補正の内容】
【特許請求の範囲】
【請求項１】
対話型ダイアログシステムのための装置であって、
ユーザダイアログ入力に情報的に応じて出力ステートメントを生成するように構成された意味論的コンテンツ生成ブロックと、
少なくとも１つの事実またはプロファイル入力に基づいて、前記出力ステートメントに関連付けられた感情タイプコードを選択するように構成された分類ブロックであって、前記感情タイプコードは複数の所定の感情タイプのうちの１つを指定する、分類ブロックと、
前記出力ステートメントに対応する音声を生成するように構成されたテキスト−音声ブロックであって、前記生成された音声は前記感情タイプコードによって指定された前記所定の感情タイプを有するものである、テキスト−音声ブロックと、
を備え、
前記少なくとも１つの事実またはプロファイル入力は、音声通話およびインターネットアクセスサービスを提供するように構成されたモバイル通信デバイスの使用から導出されるパラメータを備え、前記少なくとも１つの事実またはプロファイル入力は、デジタルアシスタントパーソナリティをさらに備える、
装置。
【請求項２】
モバイル通信デバイスは、音声通話およびインターネットアクセスサービスを提供するように構成され、
前記装置は、前記出力ステートメントを自然言語で生成するように構成された言語生成ブロックであって、前記出力ステートメントは、所定の意味論的コンテンツおよび前記感情タイプコードに関連付けられた指定された所定の感情タイプを有する、言語生成ブロックをさらに備える、請求項１に記載の装置。
【請求項３】
前記少なくとも１つの事実またはプロファイル入力は、ユーザによって前記モバイル通信デバイスに直接入力される少なくとも１つのユーザ構成パラメータを備える、請求項１に記載の装置。
【請求項４】
前記少なくとも１つのユーザ構成パラメータは、趣味、関心、性格特性、好きな映画、好きなスポーツ、および好きな料理のタイプのうちの少なくとも１つを備える、請求項３に記載の装置。
【請求項５】
前記少なくとも１つの事実またはプロファイル入力は、前記装置を使用してユーザオンラインアクティビティから導出される少なくとも１つのパラメータをさらに備える、請求項３に記載の装置。
【請求項６】
ユーザオンラインアクティビティから導出される前記少なくとも１つのパラメータは、インターネット検索クエリ、アクセスされるインターネットウェブサイト、電子メールメッセージのコンテンツ、およびオンラインソーシャルメディアウェブサイトへの投稿のうちの、少なくとも１つを備える、請求項５に記載の装置。
【請求項７】
前記少なくとも１つの事実またはプロファイル入力は、前記モバイル通信デバイスの位置システムにより定められるユーザ位置、前記モバイル通信デバイスを用いて行われるユーザのテキストまたは音声通信のコンテンツ、および、前記モバイル通信デバイスのカレンダスケジューリング機能を使用して前記ユーザによってスケジューリングされた少なくとも１つのイベントのうちの、少なくとも１つをさらに備える、請求項３に記載の装置。
【請求項８】
前記少なくとも１つの事実またはプロファイル入力は、現在のユーザ感情状態、デバイス使用統計、およびオンライン情報リソースのうちの、少なくとも１つをさらに備える、請求項３に記載の装置。
【請求項９】
前記分類ブロックは、前記対話型ダイアログシステムに入力されるユーザダイアログに基づいて前記感情タイプコードを選択するようにさらに構成され、前記対話型ダイアログシステムは、前記モバイル通信デバイスの少なくとも１つのプロセッサにより実行される、請求項２に記載の装置。
【請求項１０】
前記自然言語による前記出力ステートメントに対応するテキストを生成する表示ブロックのためのテキストをさらに備える、請求項２に記載の装置。
【請求項１１】
前記自然言語は英語である、請求項１０に記載の装置。
【請求項１２】
アルゴリズムを使用して前記感情タイプコードを選択するように構成された前記分類ブロックは、少なくとも１つの事実またはプロファイル入力と対応する複数の基準感情タイプとの間の少なくとも１つの機能的マッピングを備え、前記少なくとも１つの機能的マッピングは機械学習技法から導出され、前記アルゴリズムは、前記少なくとも１つの事実またはプロファイル入力を、前記デジタルアシスタントパーソナリティによる前記出力ステートメントの提供に関連した感情タイプに対応する感情タイプにマッピングする、請求項１に記載の装置。
【請求項１３】
プロセッサと、前記プロセッサによって実行可能な命令を保持するメモリとを含む、コンピューティングデバイスであって、前記命令は、
ユーザダイアログ入力に情報的に応じて出力ステートメントを生成すること、
少なくとも１つの事実またはプロファイル入力に基づいて、前記出力ステートメントに関連付けられた感情タイプコードを選択することであって、前記感情タイプコードは複数の所定の感情タイプのうちの１つを指定する、選択すること、および、
前記出力ステートメントに対応する音声を生成することであって、前記生成された音声は前記感情タイプコードによって指定された前記所定の感情タイプを有するものである、生成すること、
を行うように前記プロセッサによって実行可能であり、
前記少なくとも１つの事実またはプロファイル入力は、対話型ダイアログシステムを実装するモバイル通信デバイスの使用から導出され、前記少なくとも１つの事実またはプロファイル入力は、デジタルアシスタントパーソナリティをさらに備える、
コンピューティングデバイス。
【請求項１４】
音声通話およびインターネットアクセスサービスを提供するように構成されたスマートフォンを備える、請求項１３に記載のコンピューティングデバイス。
【請求項１５】
前記少なくとも１つの事実またはプロファイル入力は、前記スマートフォンを使用するユーザオンラインアクティビティ、ユーザ位置、ユーザのテキストまたは音声通信のコンテンツ、および、前記スマートフォンのカレンダスケジューリング機能を使用して前記ユーザによってスケジューリングされた少なくとも１つのイベントのうちの、少なくとも１つをさらに備える、請求項１４に記載のコンピューティングデバイス。
【請求項１６】
前記少なくとも１つの事実またはプロファイル入力は、現在のユーザ感情状態、デバイス使用統計、およびオンライン情報リソースのうちの、少なくとも１つをさらに備える、請求項１４に記載のコンピューティングデバイス。
【請求項１７】
ユーザダイアログ入力に情報的に応じて出力ステートメントを生成すること、
少なくとも１つの事実またはプロファイル入力に基づいて、前記出力ステートメントに関連付けられた感情タイプコードを選択することであって、前記感情タイプコードは複数の所定の感情タイプのうちの１つを指定する、選択すること、および、
前記出力ステートメントに対応する音声を生成することであって、前記生成された音声は前記感情タイプコードによって指定された前記所定の感情タイプを有するものである、生成すること、
を含む、方法であって、
前記少なくとも１つの事実またはプロファイル入力は、対話型ダイアログシステムを実装するモバイル通信デバイスの使用から導出され、前記少なくとも１つの事実またはプロファイル入力は、デジタルアシスタントパーソナリティをさらに備える、
方法。
【請求項１８】
前記少なくとも１つの事実またはプロファイル入力は、ユーザ位置を備える、請求項１７に記載の方法。
【請求項１９】
前記少なくとも１つの事実またはプロファイル入力は、前記ユーザによって構成されるユーザ構成パラメータ、ユーザオンラインアクティビティ、ユーザ位置、ユーザのテキストまたは音声通信のコンテンツ、および、カレンダスケジューリング機能を使用して前記ユーザによってスケジューリングされた少なくとも１つのイベントのうちの、少なくとも１つを備える、請求項１８に記載の方法。
【請求項２０】
前記少なくとも１つの事実またはプロファイル入力は、現在のユーザ感情状態、デバイス使用統計、およびオンライン情報リソースのうちの、少なくとも１つをさらに備える、請求項１８に記載の方法。